(57)【要約】【課題】作物を損傷させることなく、作物の株元、及び株間の除草作業を機械的に効率よく行うことである。【解決手段】作物Ｄの畦間Ｋを走行中において、その株元Ｄａの雑草を除草するために、カルチベータＢに装着された複数本の中耕爪Ｎ１，Ｎ２，Ｎ３  のうち、最も外側の中耕爪Ｎ２  の背面に後方に向けて装着される株元除草装置Ａ１  であって、外側中耕爪Ｎ２  の土中作用部の上部位置に、所定の後退角（θ）とすくい角（α）を有して、前記外側中耕爪Ｎ２  の更に外側に向けて片持ち状に配設される水平除草刃３９と、外側中耕爪Ｎ２  の前記上部位置に、後方に向けて略水平に配設された支持板（支持具）４０と、前記水平除草刃３９の直後方に、前記株元Ｄａの雑草を除草可能とすべく配設された弾性バネ除草体４２，４３とを備え、前記弾性バネ除草体４２，４３は、その基端部が前記支持板４０に固定された片持ち状態となって、所定の後退角（θ）と、その先端が前記水平除草刃３９の先端よりも更に外側に配置される長さとを有する構成とする。【選択図】        図９
2004267170.tif 000002
【特許請求の範囲】
【請求項１】
作物の畦間を走行中において、その株元の雑草を除草するために、カルチベータ類に装着された複数本の中耕爪のうち、最も外側の中耕爪の背面に後方に向けて装着される株元除草装置であって、
外側中耕爪の土中作用部の上部位置に、所定の後退角とすくい角を有して、前記外側中耕爪の更に外側に向けて片持ち状に配設される水平除草刃と、外側中耕爪の前記上部位置に、後方に向けて略水平に配設された支持具と、前記水平除草刃の直後方に、前記株元の雑草を除草可能とすべく配設された弾性バネ除草体とを備え、
前記弾性バネ除草体は、その基端部が前記支持具に固定された片持ち状態となって、所定の後退角と、その先端が前記水平除草刃の先端よりも更に外側に配置される長さとを有していることを特徴とするカルチベータ類に装着される株元除草装置。
【請求項２】
前記弾性バネ除草体は、相前後して複数本だけ配設されて、相前後する二本の弾性バネ除草体は、後方のものの先端が、前方のものの先端よりも外側に配置されていることを特徴とする請求項１に記載のカルチベータ類に装着される株元除草装置。
【請求項３】
相前後する２本の弾性バネ除草体は、作物の株元に近い後方のものが、前方のものよりも柔軟性を高めて変形し易いようにしてあることを特徴とする請求項２に記載のカルチベータ類に装着される株元除草装置。
【発明の詳細な説明】
【０００１】
【発明の属する技術分野】
本発明は、作物の畦間を走行中において、その株元の雑草を除草するために、カルチベータ類に装着された複数本の中耕爪のうち、最も外側の中耕爪の背面に後方に向けて装着される株元除草装置に関するものである。
【０００２】
【従来の技術】
畑作における株元除草を行う装置として、カルチベータ類に装着して中耕と同時に除草を行うものが知られている。例えば、細いバネから成る除草杆を熊手状に配置して牽引することにより株元除草を行う装置（例えば、特許文献１）、或いは回転輪の全周に除草杆を装着して、前記回転輪を傾斜軸を中心に回転させて株元除草を行う装置（例えば、特許文献２）が知られている。
【０００３】
【特許文献１】
特許第３３７００８０号公報
【特許文献２】
特開２００２−３０５９０５号公報
【０００４】
しかし、上記した牽引式、或いは傾斜回転式の各除草装置においては、いずれも除草作用深さが浅く、除草杆の接触により作物を損傷させる恐れがあり、しかもその除草杆の移動軌跡が表土全体に及ぶものではなくて、除草杆が作用しない部分が残り、表土全体を撹拌できないために、未除草の部分が残って、除草が不完全となる不具合があった。なお、従来の各除草装置は、除草時において除草杆により土が大きく飛散され、その飛散状態により恰もきれいに除草されたように見えるが、現実には、上記理由によって、その除草効果は不十分であった。
【０００５】
【発明が解決しようとする課題】
本発明の課題は、従来の除草装置の上記不具合に鑑み、作物を損傷させることなく、作物の株元、及び株間の除草作業を機械的に効率よく行うことである。
【０００６】
【課題を解決するための手段】
上記課題を解決するための請求項１の発明は、作物の畦間を走行中において、その株元の雑草を除草するために、カルチベータ類に装着された複数本の中耕爪のうち、最も外側の中耕爪の背面に後方に向けて装着される株元除草装置であって、外側中耕爪の土中作用部の上部位置に、所定の後退角とすくい角を有して、前記外側中耕爪の更に外側に向けて片持ち状に配設される水平除草刃と、外側中耕爪の前記上部位置に、後方に向けて略水平に配設された支持具と、前記水平除草刃の直後方に、前記株元の雑草を除草可能とすべく配設された弾性バネ除草体とを備え、前記弾性バネ除草体は、その基端部が前記支持具に固定された片持ち状態となって、所定の後退角と、その先端が前記水平除草刃の先端よりも更に外側に配置される長さとを有していることを特徴としている。
【０００７】
カルチベータ類により牽引されて除草装置が作物の畦間を走行すると、これを構成する水平除草刃が、最も外側の中耕爪の外側を作物の株元近くまで、土を略水平に浅く切ることにより、表土と、その下方の下層土との連続が完全に切り離されると共に、水平除草刃のすくい角によって、浅い表土は破砕される。これにより、下層土からの水分の上昇が阻止されるので、破砕された表土は直ちに乾燥状態となって、この部分の雑草は全て枯死することになる。
【０００８】
また、表土を切断する水平除草刃の後方には、所定の後退角を有して弾性バネ除草体が、その基端部を支持具に固定した片持ち状態となって配設されているため、前記弾性バネ除草体によって、作物と接触すると弾性変形して作物を損傷させることなく、作物の株元近くの土、或いは株間の土が切り取られて、表土が下層土から切り離される。このようにして、下層土から切り離された表土は薄いため、土の動きによって砕土される。この結果、下層土からの水分上昇が阻止されるために、表土は短時間で乾燥状態となって、作物の株元近くの雑草までも完全に枯死されるため、株元除草の効果は極めて高い。
【０００９】
また、外側中耕爪の側方への突出長の異なる水平除草刃、及び弾性バネ除草体によって、外側中耕爪から作物の株元までの除草範囲の全幅が全て除草されるので、除草残しがなくなって、完全なる除草が可能となる。また、請求項１の発明に係る除草装置は、これを構成する水平除草刃、及び弾性バネ除草体のいずれもが、除草中においては、その大部分が土中に入り込んでおり、しかも除草装置を装着している外側中耕爪の後爪支持竿は、作物から離れているために、作物がある程度成長して地上に伸びたり、或いは側方に拡がっても、地上に伸びた作物の影響を殆ど受けることなく、除草作業を行える利点がある。
【００１０】
また、請求項２の発明は、請求項１の発明において、前記弾性バネ除草体は、相前後して複数本だけ配設されて、相前後する２本の弾性バネ除草体は、後方のものの先端が、前方のものの先端よりも外側に配置されていることを特徴としている。
【００１１】
請求項２の発明によれば、相前後して配置される複数本の各弾性バネ除草体の担当除草範囲が狭められる。即ち、水平除草刃の直後の弾性バネ除草体は、前記水平除草刃の先端から当該弾性バネ除草体の先端までの間の除草を担当し、相前後する各弾性バネ除草体のうち後方の弾性バネ除草体は、両除草体の先端の間の除草を担当することになる。また、土を切り開く力が複数本の弾性バネ除草体に分散されると共に、後方の弾性バネ除草体が有効に作用するので、除草効果が高くなる。
【００１２】
また、請求項３の発明は、請求項２の発明において、相前後する２本の弾性バネ除草体は、作物の株元に近い後方のものが、前方のものよりも柔軟性を高めて変形し易いようにしてあることを特徴としている。
【００１３】
請求項３の発明によれば、弾性バネ除草体の接触による作物の株元の損傷を最少限に抑えたうえで、除草残しをなくして、作物の株元の除草が可能となる。
【００１４】
【発明の実施の形態】
以下、複数の実施形態を挙げて、本発明を更に詳細に説明する。図１は、本発明の第１実施形態の株元除草装置Ａ１，Ａ１’を備えた２畦用カルチベータＢの全体斜視図であり、図２は、同じく平面図であり、図３は、同じく左側面図であり、図４は、横桁１９に対する前側の中耕爪Ｎ１  の取付構造を示す斜視図であり、図５は、最も外側に配置された後側の中耕爪Ｎ２  の背面に装着された株元除草装置Ａ１  の斜視図であり、図６は、同じく分解斜視図であり、図７は、株元除草装置Ａ１  の支持板４０の部分の縦断面図である。
【００１５】
図１ないし図３に示されるカルチベータＢは、２畦用のものであって、左右の中心線Ｃに対して対称に配置された一対の中耕作業機Ｍを備えており、各中耕作業機Ｍの最も外側に配置された後側の一対の中耕爪Ｎ２  の背面に、それぞれ株元除草装置Ａ１，Ａ１’が後方に向けて略左右対称に装着されている。このカルチベータＢは、歩行型２輪トラクタＴの機枠１の後端に固設された断面（側面）  形状がコの字形をした取付具２に連結される。前記取付具２を構成する上下の各板部２ａには、それぞれ上下方向の軸挿通孔３が穿設されていると共に、ヒッチ金具４の先端の連結部４ａには、上下方向にピン挿通孔５が穿設されており、ヒッチ金具４の先端の連結部４ａを、前記取付具２を構成する上下の各板部２ａの間に挿入して、これらに形成された前記各ピン挿通孔３，５を合致させて、各ピン挿通孔３，５に連結ピン６を挿通させると、前記機枠１の後端に固設された取付具２に対してヒッチ金具４が連結ピン６を介して連結される。
【００１６】
また、前記ヒッチ金具４の後端部には、上下方向に沿って角孔７が形成されている。カルチベータＢの前部に横方向に配設されたツールバー８の中央部には、前方に向けて縦桁９が略水平となって固設されていて、前記縦桁９の前端には、取付棒１１が上方に向けて直角となって一体に延設され、前記取付棒１１を前記ヒッチ金具４の後端部の角孔７に下方から挿通して、押しボルト１２により前記取付棒１１を前記角孔７の内側面に押し付けることにより、カルチベータＢは、歩行型２輪トラクタＴの機枠１の後端の取付具２にヒッチ金具４を介して連結される。これにより、歩行型２輪トラクタＴの後方において、これに連結されたカルチベータへのツールバー８は、その進行方向Ｐに対して直交した状態で略水平に配置される。
【００１７】
また、ツールバー８の両端部には、箱金状（角筒状）をした作業機取付具１３がそれぞれ嵌め込まれて、各作業機取付具１３は、その上板部に螺合された押しボルト１４により前記ツールバー８の両端部の所定位置に固定されている。作業機取付具１３の背面側には、上下方向に角孔が形成された箱金１５が一体に固設されている。カルチベータＢの走行方向Ｐに沿って各作業機取付具１３の背面側に配置される一対の主桁１６の前端部には、取付棒１７が上方に向けて直角となって一体に固設されている。主桁１６は、平鋼の長辺面が垂直に配置された構成であって、その前端部の取付棒１７は、箱金１５の角孔に下方から挿通されて、その側板部に螺合された押しボルト１８により、前記箱金１５に固定されている。
【００１８】
また、横桁１９は、上下一対の平鋼製の横桁材１９ａで構成されて、平鋼の長辺面が垂直に配置された主桁１６の前端部に、前記主桁１６を上下から挟持するようにして一対の横桁材１９ａが横方向（ツールバー８と平行な方向）に水平配置されて固設されている。また、図１及び図４に示されるように、各中耕作業機Ｍにおいて、前側の一対の中耕爪Ｎ１  は、前記主桁１６に対して左右対称に配置され、しかも前記横桁１９の背面に接して上下方向に配置された前爪支持竿２１の略下半部の前面に着脱可能に取付けられている。前爪支持竿２１は、側面視においてその下半部がわん曲されていて、その上部は、箱型の取付具２２に挿通されて、前記取付具２２の前端面には、固定ボルト２３が前方に向けて一体に取付けられている。固定ボルト２３は、横桁１９の前面に当てがわれた後述の箱金２５及び側桁２４の固定板部２４ａにも挿通され、その前端部は、箱金２５及び側桁２４の固定板部２４ａから前方に突出していて、この突出部にナット２７を螺合して締め上げることにより、横桁１９の背面側及び前面側にそれぞれ配置された前爪支持竿２１、並びに箱金２５及び側桁２４の固定板部２４ａを一体に固定している。
【００１９】
また、各中耕作業機Ｍにおいて、一対の側桁２４が、主桁１６に対して対称であって、しかも一対の前爪支持竿２１の外側に、僅かに後開きの形状となって配置されている。一対の側桁２４の前端部は、それぞれ内側に折り曲げられて固定板部２４ａとなっている。断面コの字形をした箱金２５は、横桁１９の前面側に、この横桁１９を上下から挟持する形状となって配置される（図１及び図４参照）。側桁２４の固定板部２４ａ、及び箱金２５の前面板部２５ａには、それぞれ横方向に所定間隔をおいて爪ピッチ変更用のボルト挿通孔２６ａ，２６ｂがそれぞれ設けられている。各ボルト挿通孔２６ａ，２６ｂに挿通された固定ボルト２３とナット２７との螺合によって、前爪支持竿２１及び側桁２４とが一体となって横桁１９に同時固定される構造は、上記した通りである。
【００２０】
また、各中耕作業機Ｍにおいて、前後方向に配置された各側桁２４の後端には、上下方向に角孔が形成された箱金２８がそれぞれ固設されていて、この角孔に後爪支持竿２９の上部が下方から挿通されて、前記箱金２８の背面板部に形成されたボルト螺通孔３０に押しボルト３１を螺合させて、後爪支持竿２９を前記角孔の内側面に押圧させることにより、後爪支持竿２９は、その上端部が箱金２８に固定される。左右一対の後爪支持竿２９の前面に後側の中耕爪Ｎ２  が左右対称となって固設されている。このように、後側の一対の中耕爪Ｎ２  は、前側の一対の中耕爪Ｎ１  の後方であって、しかも外側に配置されているため、一対の中耕爪Ｎ１  を基準にすると、外斜後方に配置されている。
【００２１】
また、図５及び図６に示されるように、後側の左右一対の中耕爪Ｎ２  の背面側には、それぞれ株元除草装置Ａ１，Ａ１’がそれぞれ装着されている。即ち、後側の中耕爪Ｎ２  の背面側であって、その長手方向の略中央部には、ボルト３３が小さな角度で斜下方に向けて一体に固設されていると共に、後爪支持竿２９の下端部における前記ボルト３３に対応する位置には、ボルト挿通孔３４が穿設されている。一方、株元除草装置Ａ１，Ａ１’の前端には、後爪支持竿２９の下端部の傾斜形状に対応した後傾姿勢となった取付板３５が設けられていて、前記取付板３５には、斜上下方向に長孔状となったボルト挿通孔３６が形成されている。後爪支持竿２９及び取付板３５の各のボルト挿通孔３４，３６に、後側の中耕爪Ｎ２  の背面に固設されたボルト３３が挿通されて、前記取付板３５の背面側に突出したボルト３３とナット３７とを螺合させて、後側の中耕爪Ｎ２  と取付板３５により後爪支持竿２９を強固に挟持することにより、左右一対の後側の各中耕爪Ｎ２  の背面に株元除草装置Ａ１，Ａ１’がそれぞれ装着されている。
【００２２】
次に、株元除草装置Ａ１，Ａ１’について詳細に説明する。なお、株元除草装置Ａ１  と同Ａ１’とは、これを構成する弾性バネ除草体４２，４３の前後方向に沿った取付位置が異なるのみで、その構成は同一である。この株元除草装置Ａ１  は、後方に向けて略水平に配置される平板状の支持板４０と、前記支持板４０の前端部に所定後退角を有して基端部が固設された水平除草刃３９と、前記水平除草刃３９の直後方に、これと略平行となって配置される２本の弾性バネ除草体４２，４３とを備えている。前記支持板４０の内側の端面には、基板３８が略垂直となって固設されて、前記基板３８の前端部が前記取付板３５の側端面に一体に固設されている。支持板４０の前端部に所定の後退角（θ）〔図１参照〕を有して、全体が略水平となって基端部が固設された水平除草刃３９には、土面に対する切り込みを確実にするために、所定のすくい角（α）〔図７参照〕が形成されている。
【００２３】
また、水平除草刃３９の直後方には、弾性バネ除草体４２が前記水平除草刃３９と略平行となって〔即ち、所定の後退角（θ）を有して〕配置され、弾性バネ除草体４２の直後方には、更に別の弾性バネ除草体４３が前記水平除草刃３９と略平行となって配置されている。各弾性バネ除草体４２，４３は、その全長が異なるのみで、その構成、及び取付構造は同一である。即ち、各弾性バネ除草体４２，４３は、接触しても作物Ｄを損傷しない程度の柔軟なバネ鋼線で形成されていて、その基端部に近い部分は、柔軟性を高めるために、数回だけコイル状に巻回されてコイル巻部４２ａ，４３ａとなっていると共に、その先端部は、株元に対する接触時に株元の損傷を少なくするために、配置状態で前後方向（進行方向）Ｐと略平行となるか、或いは内側を向くように屈曲されている。また、支持板４０には、その前後方向に２個の各ボルト挿通孔４１が形成されていて、各弾性バネ除草体４２，４３の基端部は、ボルト４５の本体部が挿通される程度にＵ字状に屈曲されており、各弾性バネ除草体４２，４３の基端部を支持板４０の裏面側に配置すると共に、各弾性バネ除草体４２，４３の基端部よりも更に下方に座金４４を配置して、この座金４４の下方から挿通されて、支持板４０のボルト挿通孔４１を通って、その上面に突出したボルト４５とナット４６とを螺合させて、ボルト４５の頭部とナット４６とで、支持板４０、各弾性バネ除草体４２，４３の基端部、及び座金４４の三者を強固に締め上げることにより、支持板４０に対して各弾性バネ除草体４２，４３の基端部が固定される。
【００２４】
そして、株元除草装置Ａ１  を構成する支持板４０に水平除草刃３９と２本の弾性バネ除草体４２，４３が取付けられた状態では、図８に示されるように、水平除草刃３９の直後方の弾性バネ除草体４２の先端は、水平除草刃３９に対して幅方向に沿ってＷ１  だけ外側に突出しており、後方の弾性バネ除草体４３は、その先端部が前方の弾性バネ除草体４２の先端部に対して幅方向にＷ２  だけ外側に突出している。また、作物Ｄと接触し易い後方の弾性バネ除草体４３は、前方の弾性バネ除草体４２よりも一層柔軟性が高められていて、接触による作物Ｄの損傷を防止している。
【００２５】
この構成により、図８及び図９に示されるように、作物Ｄの株元Ｄａに近い部分の土面は、水平除草刃３９ではなくて、その後方に配置された２本の弾性バネ除草体４２，４３により切り起こされるために、仮に、各弾性バネ除草体４２，４３の先端部が作物Ｄの株元Ｄａに接触しても、図９で２点鎖線で示されるように、前記先端部は弾性変形するため、作物Ｄの株元Ｄａの損傷が殆どなくなる。また、各弾性バネ除草体４２，４３は、土面における前記突出幅Ｗ１，Ｗ２  の部分のみを切り込むのみで済み、担当除草範囲が狭くなる。しかも、作物Ｄの株元Ｄａに接触する機会の多い後方の弾性バネ除草体４３は、その前方の弾性バネ除草体４２よりも柔軟性が高められているため、作物Ｄの株元Ｄａの損傷がなくなるか、或いは少なくなる。
【００２６】
また、第１実施形態の株元除草装置Ａ１  を備えたカルチベータＢは、その左右の中心線に対して対称に２連の中耕作業機Ｍが配置されていて、各中耕作業機Ｍは、隣接する畦間を走行する。この際に、各中耕作業機Ｍの内方に配置されて相隣接する各株元除草装置Ａ１  は、同一畦の作物Ｄの株元Ｄａの両側の土面を切り込むために、株元Ｄａ、或いはこれに近い部分まで先端が達する弾性バネ除草体４２，４３に関しては、その先端同士が干渉する恐れがある。そこで、図８及び図９に示されるように、各中耕作業機Ｍにおいて、相隣接する各株元除草装置Ａ１，Ａ１’の各弾性バネ除草体４２，４３は、カルチベータＢの進行方向Ｐに沿って僅かにずらして配置されて、前記干渉を防止している。
【００２７】
また、図１ないし図３に示されるように、各中耕作業機Ｍにおいて、主桁１６の後端部の側面には、中央爪支持竿４７がボルト４８を介して固設されていて、中央爪支持竿４７の下半部の前面には、中央の中耕爪Ｎ３  が取付けられている。中央の中耕爪Ｎ３  は、中耕作業機Ｍにおいて幅方向の中央であって、しかもカルチベータの進行方向（前後方向）Ｐに沿って一対の後側の中耕爪Ｎ２  よりも更に後方に配置されている。また、主桁１６の前端部の側面には、接地輪支持桁４９が前方に向けて略水平に取付けられて、その先端には、上下方向に角孔を有する箱金５１が一体に固設されている。接地輪５２を支持している支持アーム５３は、斜後方に向けて配置され、その斜上端部には、支持棒５４が上下方向に沿って取付けられて、前記支持棒５４が前記箱金５１の角孔に下方から挿通されて、ボルト５５により固定されている。これにより、カルチベータＢは、その前部に横方向に配置されたツールバー８の両端部の前方に一対の接地輪５２が配置された形態となる。
【００２８】
そして、図８及び図９に示されるように、カルチベータＢの左右一対の各中耕作業機Ｍが畦間Ｋに配置されて、歩行型２輪トラクタＴにより牽引されると、畦間Ｋにおいて幅方向、及び進行方向（前後方向）Ｐの双方に対して所定間隔をおいて配置された多数本の中耕爪Ｎ１  ，Ｎ２  ，Ｎ３  によって、畦間Ｋの表土が中耕されて除草される。そして、各中耕作業機Ｍにおいて、最も外側に配置された一対の後側の中耕爪Ｎ２  の後方に、中耕作業機Ｍの左右対称線Ｃに対して略対称配置された各除草装置Ａ１  が作物Ｄの株元Ｄａの近傍を走行すると、これを構成する水平除草刃３９が、最も外側の中耕爪Ｎ２  の外側を作物Ｄの株元Ｄａ近くまで、土を略水平に浅く切ることにより、表土と、その下方の下層土との連続が完全に切り離されると共に、水平除草刃３９のすくい角（α）によって、浅い表土は破砕される（図１０参照）。これにより、下層土からの水分の上昇が阻止されるので、破砕された表土は直ちに乾燥状態となって、この部分の雑草は全て枯死することになる。なお、図１０において、Ｓは表土の表面を示す。
【００２９】
また、表土を切断する水平除草刃３９の後方には、所定の後退角（θ）を有して長さの異なる２本の弾性バネ除草体４２，４３が、その基端部を支持板４０に固定した片持ち状態となって配設されているため、各弾性バネ除草体４２，４３の先端部が作物Ｄの株元Ｄａに接触すると、その先端部が弾性変形して作物Ｄを損傷させることなく、作物Ｄの株元Ｄａ近くの土、或いは株間の土が切り取られて、表土が下層土から切り離される。このようにして、下層土から切り離された表土は薄いために、土の動きによって砕土される。この結果、下層土からの水分上昇が阻止されるために、表土は短時間で乾燥状態となって、作物の株元近くの雑草までも完全に枯死されるため、株元除草の効果は極めて高い。
【００３０】
また、図１１及び図１２に、他の実施形態の株元除草装置Ａ２  ，Ａ３  が示されている。図１１に示される株元除草装置Ａ２  は、支持板４０に基端部が固定された弾性バネ除草体５６の全体が波状になっていて、その株元Ｄａの側（外側）への突出部５６ａ，５６ｂ，５６ｃが３個形成されていて、相前後する各突出部５６ａ，５６ｂ，５６ｃの突出長が後方に配置されたもの程、順次長くなっていると共に、内側への突出部にそれぞれコイル巻部５６ｄ，５６ｅが形成され、各突出部５６ａ，５６ｂ，５６ｃは、接触による作物Ｄの損傷を防止すべく、後方のもの程、柔軟性が高められて弾性変形し易くしてある。株元除草装置Ａ３  を構成する弾性バネ除草体５７は、前記株元除草装置Ａ２  の弾性バネ除草体５６においてコイル巻部５６ｄ，５６ｅを欠落させて、外側への各突出部５７ａ，５７ｂ，５７ｃを備えている。この弾性バネ除草体５７においても、各突出部５７ａ，５７ｂ，５７ｃは、後方のもの程、柔軟性が高められて弾性変形し易くしてある。
【００３１】
なお、図４において、横桁１９に対する箱金２５及び側桁２４の位置を固定したままで、ボルト２３を挿通するボルト挿通孔２６ａ，２６ｂを変更することにより、図１３に示されるように、一対の前側の中耕爪Ｎ１  のピッチＱ１  は同Ｑ１’に変更されると共に、一対の後側の中耕爪Ｎ２  のピッチＱ２  は同Ｑ２’に変更される。一方、ボルト２３を挿通するボルト挿通孔２６ａ，２６ｂを変更せずに、横桁１９に対する箱金２５及び側桁２４の位置を変更させると、一対の後側の中耕爪Ｎ２  のピッチＱ２  はそのままで、一対の前側の中耕爪Ｎ１  のピッチＱ１  が同Ｑ１’’  に変更される。また、上記した爪ピッチの２種類の変更態様を組み合わせると、爪ピッチの変更範囲が更に広くなる。
【００３２】
また、上記実施形態の中耕作業機Ｍは、計５本の中耕爪Ｎ１，Ｎ２，Ｎ３  を備えているが、畦幅が狭くて、前側の一対の中耕爪Ｎ１  が不要な場合には、これを取り外して使用することがある。また、作物Ｄに近い部分の土の切り開きにより、その根部が損傷されるのを防止するために、最も外側に配置された一対の後側の中耕爪Ｎ２  に関しては、これを取り外して株元除草装置Ａ１  〜Ａ３  のみを使用したり、或いは前記中耕爪Ｎ２  の土中作用部を浅くすることも可能である。
【００３３】
また、上記実施形態では、２連の中耕作業機Ｍを備えたカルチベータに本発明を実施したものであるが、３連以上の多連の中耕作業機Ｍを備えたカルチベータに本発明を実施することも可能である。また、本発明に係る株元除草装置は、中耕除草を行うカルチベータに限られず、牽引方式の作業機であれば、如何なるものであってもよい。
【００３４】
【発明の効果】
本発明に係る株元除草装置をカルチベータ類に装着された複数本の中耕爪のうち最も外側の中耕爪の背面に後方に向けて装着して、畦間の中耕作業を行うと、作物を損傷させることなく、作物の株元、及び株間の除草作業を機械的に効率よく行える。
【図面の簡単な説明】
【図１】本発明の第１実施形態の株元除草装置Ａ１，Ａ１’を備えた２畦用カルチベータＢの全体斜視図である。
【図２】同じく平面図である。
【図３】同じく左側面図である。
【図４】横桁１９に対する前側の中耕爪Ｎ１  の取付構造を示す斜視図である。
【図５】最も外側に配置された後側の中耕爪Ｎ２  の背面に装着された株元除草装置Ａ１  の斜視図である。
【図６】同じく分解斜視図である。
【図７】株元除草装置Ａ１  の支持板４０の部分の縦断面図である。
【図８】カルチベータＢの各中耕作業機Ｍが畦間Ｋに配置された状態の概略平面図である。
【図９】図８の部分拡大図である。
【図１０】作物Ｄの両側に配置された各株元除草装置Ａ１，Ａ１’を前方から見た図である。
【図１１】株元除草装置Ａ２  の平面図である。
【図１２】株元除草装置Ａ３  の平面図である。
【図１３】爪ピッチの変更を示す平面図である。
【符号の説明】
Ａ１  〜Ａ３  ：株元除草装置
Ｂ：カルチベータ
Ｄ：作物
Ｄａ：作物の株元
Ｋ：畦間
Ｎ１  ：前側の中耕爪
Ｎ２  ：後側の中耕爪（外側中耕爪）
Ｎ３  ：中央の中耕爪
α：水平除草刃のすくい角
θ：水平除草刃の後退角
３９：水平除草刃
４０：支持板（支持具）
４２，４３，５６，５７：弾性バネ除草体
【図１】
2004267170.tif 000003
【図２】
2004267170.tif 000004
【図３】
2004267170.tif 000005
【図４】
2004267170.tif 000006
【図５】
2004267170.tif 000007
【図６】
2004267170.tif 000008
【図７】
2004267170.tif 000009
【図８】
2004267170.tif 000010
【図９】
2004267170.tif 000011
【図１０】
2004267170.tif 000012
【図１１】
2004267170.tif 000013
【図１２】
2004267170.tif 000014
【図１３】
2004267170.tif 000015